(57)【要約】【課題】着脱した際の粉体のこぼれを抑えた粉体回収装置および画像形成装置を提供する。【解決手段】搬送部材１６１１Ｋによって搬送されてくるトナーは、排出部１６２Ｋの排出口１６２１Ｋから落下して排出されて回収口９１５２ｃを通過して延長空間９１５２ｂ内を図６に示した重力方向Ｇへと落下していく。トナー受取部９１５は、内部空間９１５２内で、排出部１６２Ｋから排出されたトナーを受け取る。このとき、回収口９１５２ｃの開口端の周りで、開閉部材９１５４に接する突出部９１５３が、開閉部材９１５４と受取部９１５との間（実線丸印で一例で示した領域Ｈ）に進入する粉体を妨げる。【選択図】図６
2014182240.tif 000002
【特許請求の範囲】
【請求項１】
搬送される粉体を落下させて排出する排出部が着脱自在に連結される連結部と、
前記連結部の重力方向に設けられ、開口を通して前記排出部から落下した粉体を回収する回収部と、
前記排出部と前記回収部との間をスライド移動して前記開口を開閉する開閉部材と、
前記開口の周縁から前記開閉部材に向けて突出して形成され、前記開閉部材と接触して前記回収部と前記開閉部材との間への粉体の浸入を妨げる突出部とを備えた
ことを特徴とする粉体回収装置。
【請求項２】
前記開閉部材または前記連結部のいずれか一方に設けられ、前記開閉部材と前記連結部との間に力を加えて前記開閉部材を前記突出部に押す突起をさらに有している
ことを特徴とする請求項１に記載の粉体回収装置。
【請求項３】
前記開閉部材は、前記突出部に接して移動するガイドをさらに有している
ことを特徴とする請求項１または請求項２に記載の粉体回収装置。
【請求項４】
前記ガイドを前記突出部の側面とで挟んで、前記開閉部材の移動方向に案内するレールをさらに有している
ことを特徴とする請求項３に記載の粉体回収装置。
【請求項５】
粉体で記録媒体に画像を形成する画像形成部と、
前記画像形成部での画像形成に際して生じた不要な粉体を排出する排出部と、
請求項１〜請求項４のいずれか一項に記載の粉体回収装置とを備えた
ことを特徴とする画像形成装置。
【発明の詳細な説明】
【技術分野】
【０００１】
本発明は、粉体回収装置および画像形成装置に関する。
【背景技術】
【０００２】
複写機、プリンターなどの画像形成装置では、画像を形成するために粉体の一例であるトナーが用いられている。また、画像形成装置で発生する廃トナーを回収する廃トナー回収装置が用いられている。
廃トナー回収装置として、廃トナー回収装置の着脱方向にスライドして、廃トナーの排出口や受入口を開閉するシャッタを備えたものが知られている（例えば、特許文献１、特許文献２および特許文献３参照）。
【先行技術文献】
【特許文献】
【０００３】
【特許文献１】特開２００５−２５０５３号公報
【特許文献２】特開２０００−１３２０３０号公報
【特許文献３】特開平６−５９６０５号公報
【発明の概要】
【発明が解決しようとする課題】
【０００４】
本発明は、着脱した際の粉体のこぼれを抑えた粉体回収装置および画像形成装置を提供することを目的とする。
【課題を解決するための手段】
【０００５】
請求項１に記載の発明は、搬送される粉体を落下させて排出する排出部が着脱自在に連結される連結部と、前記連結部の重力方向に設けられ、開口を通して前記排出部から落下した粉体を回収する回収部と、前記排出部と前記回収部との間をスライド移動して前記開口を開閉する開閉部材と、前記開口の周縁から前記開閉部材に向けて突出して形成され、前記開閉部材と接触して前記回収部と前記開閉部材との間への粉体の浸入を妨げる突出部とを備えたことを特徴とする粉体回収装置である。
【０００６】
請求項２に記載の発明は、前記開閉部材または前記連結部のいずれか一方に設けられ、前記開閉部材と前記連結部との間に力を加えて前記開閉部材を前記突出部に押す突起をさらに有していることを特徴とする請求項１に記載の粉体回収装置である。
【０００７】
請求項３に記載の発明は、前記開閉部材は、前記突出部に接して移動するガイドをさらに有していることを特徴とする請求項１または請求項２に記載の粉体回収装置である。
【０００８】
請求項４に記載の発明は、前記ガイドを前記突出部の側面とで挟んで、前記開閉部材の移動方向に案内するレールをさらに有していることを特徴とする請求項３に記載の粉体回収装置である。
【０００９】
請求項５に記載の発明は、粉体で記録媒体に画像を形成する画像形成部と、前記画像形成部での画像形成に際して生じた不要な粉体を排出する排出部と、請求項１〜請求項４のいずれか一項に記載の粉体回収装置とを備えたことを特徴とする画像形成装置である。
【発明の効果】
【００１０】
請求項１に記載の発明によれば、本構成を有しない場合に比して、着脱した際の粉体のこぼれを抑えた粉体回収装置を提供できる。
請求項２に記載の発明によれば、本構成を有しない場合に比して、着脱した際の粉体のこぼれをより抑えた粉体回収装置を提供できる。
請求項３に記載の発明によれば、本構成を有しない場合に比して、開閉部材が滑らかに移動する粉体回収装置を提供できる。
請求項４に記載の発明によれば、本構成を有しない場合に比して、開閉部材がより滑らかに移動する粉体回収装置を提供できる。
請求項５に記載の発明によれば、請求項１から請求項４のいずれか１項に記載の粉体回収装置を有しない場合と比して、粉体による装置内の汚れを抑え、出力画像の画質の低下を抑制した画像形成装置を提供できる。
【図面の簡単な説明】
【００１１】
【図１】実施形態における画像形成装置を示す概略構成図。
【図２】画像形成部および画像形成装置から取り外されたトナー回収装置を示す外観斜視図。
【図３】画像形成部および廃トナー回収装置を裏面側から見た外観斜視図。
【図４】廃トナー回収装置のＡ−Ａ矢視縦断面図。
【図５】（ａ）は、廃トナー回収装置が画像形成部に接続されたときの排出部と受入部とを示す断面図、（ｂ）は（ａ）におけるＡ−Ａ断面図。
【図６】廃トナー回収装置が画像形成部から取り外されたときの受取部を示す断面図。
【図７】変形例を示す断面図。
【発明を実施するための形態】
【００１２】
（実施形態）
以下、実施形態について図面を参照して説明する。図１は、画像形成装置１を示す概略構成図である。
図１に示す画像形成装置１は、記録媒体の一例である用紙Ｐ上に画像を形成する装置である。なお、画像形成装置１は、用紙Ｐのみならず、ＯＨＰシートに代表される樹脂の記録媒体にも対応した装置である。
【００１３】
実施形態の画像形成装置１は、互いに異なる色の画像形成を行う４つの画像形成部１０Ｙ，１０Ｍ，１０Ｃ，１０Ｋが並列に配置されたタンデム型のカラープリンタである。画像形成部１０Ｙ，１０Ｍ，１０Ｃ，１０Ｋは、それぞれ、イエロー（Ｙ）、マゼンタ（Ｍ）、シアン（Ｃ）およびブラック（Ｋ）の各色に対応する。
【００１４】
画像形成部１０Ｙ，１０Ｍ，１０Ｃ，１０Ｋは同様の構成を有しているため、以下、ブラック（Ｋ）に対応する画像形成部１０Ｋを取り上げて説明する。
【００１５】
図１において、画像形成部１０Ｋは、感光体１１と、感光体１１の表面を帯電させる帯電器１２と、外部から供給される画像信号に基づく露光光を感光体１１に照射する露光器１３と、感光体１１表面を粉体の一例であるトナーで現像する現像器１４と、トナーで形成された未定着のトナー像を中間転写ベルト２０上に転写する一次転写器１５と、中間転写ベルト２０上に一次転写器１５で転写されずに感光体１１上に残留する残留トナーを感光体１１上から掻き取る感光体クリーニングブレード１６とを備えている。
【００１６】
感光体１１は、円筒状の表面を有しており、円筒の軸周りである矢印Ａ方向に回転する。
現像器１４は、二成分現像方式を採用したものである。現像器１４には、磁性キャリアとトナーとからなる二成分現像剤が収容されている。また、現像器１４には現像ロール１４１が配置されている。
【００１７】
また、画像形成装置１は、中間転写ベルト２０から未定着のトナー像を用紙Ｐ上に転写する二次転写器３０と、未定着のトナー像を用紙Ｐ上に定着する定着器４０と、用紙Ｐを搬送経路Ｒ１に沿って搬送する用紙搬送部５０と、用紙Ｐを収容する用紙収容器６０と、画像形成装置１による画像の形成が終了した用紙Ｐを受ける排出用紙収容部７０と、用紙Ｐ上に二次転写器３０で転写されずに中間転写ベルト２０上に残留する残留トナーを中間転写ベルト２０上から掻き取るベルトクリーニングブレード８０とを備えている。
【００１８】
中間転写ベルト２０は、ベルト支持ロール２１，２２，２３，２４によって支持された無端の帯状部材であり、画像形成部１０Ｙ，１０Ｍ，１０Ｃ，１０Ｋ、および二次転写器３０をこの順に経由する矢印Ｂ方向に周回移動する。
定着器４０は、加熱源４１１を有する定着ロール４１、および定着ロール４１に対向するように設けられた加圧ロール４２を備えている。
【００１９】
用紙搬送部５０は、用紙Ｐを搬送経路Ｒ１に沿って搬送する。より詳細には、用紙搬送部５０は、用紙収容器６０から用紙Ｐを取り出す取出ロール５１と、搬送経路Ｒ１に沿って配置された、用紙Ｐを搬送する搬送ロール５２と、二次転写器３０がトナー像を転写するタイミングに合わせて二次転写器３０に用紙Ｐを送り込むレジストレーションロール５３と、用紙Ｐを画像形成装置１の外に排出する排出ロール５４とを備えている。
用紙搬送部５０は、用紙Ｐを、用紙収容器６０から二次転写器３０および定着器４０を順に経る搬送経路Ｒ１に沿って搬送する。
【００２０】
図１に示すように、画像形成部１０Ｙ，１０Ｍ，１０Ｃ，１０Ｋおよび中間転写ベルト２０は、画像形成装置１に対して同一方向に傾斜して備えられている。これにより、画像形成装置１の小型化が図られている。
【００２１】
また、画像形成装置１は、感光体クリーニングブレード１６によって感光体１１上から掻き取られた不要なトナーや、ベルトクリーニングブレード８０によって中間転写ベルト２０上から掻き取られた不要なトナーを受け取って回収する粉体回収装置の一例である廃トナー回収装置９０を備えている。この廃トナー回収容器９０の構造についての詳細な説明は後述する。
【００２２】
画像形成装置１は、図１に示すように、画像形成部１０Ｙ，１０Ｍ，１０Ｃ，１０Ｋにそれぞれ対応した色のトナーを収容する４つのトナーカートリッジ１８Ｙ，１８Ｍ，１８Ｃ，１８Ｋと、トナーカートリッジ１８Ｙ，１８Ｍ，１８Ｃ，１８Ｋが装填されるトナーカートリッジ装填部１８１Ｙ，１８１Ｍ，１８１Ｃ，１８１Ｋとを備えている。
トナーカートリッジ１８Ｙ，１８Ｍ，１８Ｃ，１８Ｋのそれぞれは、トナーカートリッジ装填部１８１Ｙ，１８１Ｍ，１８１Ｃ，１８１Ｋに着脱自在に装填されており、画像形成装置１の本体に対して引き出すことによって交換可能である。
【００２３】
また、画像形成部１０Ｙ，１０Ｍ，１０Ｃ，１０Ｋの現像器１４とトナーカートリッジ１８Ｙ，１８Ｍ，１８Ｃ，１８Ｋとは、トナーカートリッジ１８Ｙ，１８Ｍ，１８Ｃ，１８Ｋ内のトナーを現像器１４に補給する補給路１８２Ｙ，１８２Ｍ，１８２Ｃ，１８２Ｋによって連結されている。
【００２４】
トナーカートリッジ１８Ｙ，１８Ｍ，１８Ｃ，１８Ｋ、トナーカートリッジ装填部１８１Ｙ，１８１Ｍ，１８１Ｃ，１８１Ｋ、および補給路１８２Ｙ，１８２Ｍ，１８２Ｃ，１８２Ｋは、それぞれ同様の構成を有しているため、これらを代表してブラック（Ｋ）に対応するトナーカートリッジ１８Ｋ、トナーカートリッジ装填部１８１Ｋ、および補給路１８２Ｋを取り上げて説明する。
【００２５】
補給路１８２Ｋは、フレキシブルなプラスチックの筒であり、一方の端部はトナーカートリッジ装填部１８１Ｋの、トナーカートリッジ１８Ｋに収容されたトナーが送り出される送出口に接続され、もう一方の端部は、画像形成部１０Ｋの現像器１４のトナー受入口に接続されている。
補給路１８２Ｋ内には、トナーカートリッジ１８Ｋに収容されたトナーを現像器１４に補給するための図示しないオーガが内蔵されており、このオーガには、図示しないステッピングモータの回転駆動力が伝達されるようになっている。
【００２６】
以下、図１に示す画像形成装置１の動作を説明する。ブラック（Ｋ）に対応する画像形成部１０Ｋでは、感光体１１が矢印Ａ方向に回転駆動され、感光体１１の表面に帯電器１２によって電荷が付与される。露光器１３は、外部から供給される画像信号に基づく露光光を感光体１１に照射することで静電潜像を形成する。
より詳細には、露光器１３は、画像信号中のブラック（Ｋ）に対応するデータに応じた露光光を照射することで、感光体１１の表面に静電潜像を形成する。現像器１４は、静電潜像をブラック（Ｋ）のトナーで現像することで、未定着のトナー像を形成する。より詳細には、現像器１４内で攪拌することでトナーを帯電させ、帯電器１２および露光器１３によって形成された静電潜像上に現像ロール１４１を介してトナーを電気的に付着させることで、トナーによって描かれた未定着のトナー像を形成する。
【００２７】
画像形成部１０Ｋの現像器１４には、現像器１４に連結された補給路１８２Ｋを介して、トナーカートリッジ１８Ｋからトナーが補給される。感光体１１は、未定着のトナー像を保持する。感光体１１の表面に保持されたトナー像は、一次転写器１５によって中間転写ベルト２０に転写される。感光体１１の表面に保持された未定着のトナー像が中間転写ベルト２０に転写された後、感光体１１上に残留する残留トナーは、感光体クリーニングブレード１６で掻き取られる。詳細な構造についての説明は後述するが、このようにして掻き取られたトナーは、廃トナー回収装置９０に向けて搬送される。
【００２８】
ブラック（Ｋ）以外の色に対応する３つの画像形成部１０Ｙ，１０Ｍ，１０Ｃ，１０Ｋも、ブラック（Ｋ）に対応する画像形成部１０Ｋと同様にしてそれぞれの色に対応する未定着のトナー像を形成する。中間転写ベルト２０は、支持ロール２１〜２５に支持され矢印Ｂ方向に周回移動しており、画像形成部１０Ｙ，１０Ｍ，１０Ｃ，１０Ｋは、中間転写ベルト２０に、それぞれの色の未定着のトナー像を重畳して転写していく。中間転写ベルト２０には、このようにして画像データに応じた未定着のトナー像が形成され、未定着のトナー像を保持して移動する。
【００２９】
一方、用紙収容器６０内の用紙Ｐは、取出ロール５１によって取り出され、搬送ロール５２、およびレジストレーションロール５３によって搬送経路Ｒ１に沿って二次転写器３０に向かう方向に搬送される。二次転写器３０は、中間転写ベルト２０と用紙Ｐとの間に転写用のバイアス電位を与えることによって、中間転写ベルト２０上の未定着のトナー像を用紙Ｐ上に転写する。
【００３０】
未定着のトナー像が用紙Ｐ上に転写された後に、中間転写ベルト２０上に残留する残留トナーは、ベルトクリーニングブレード８０で掻き取られる。詳細な構造についての説明は後述するが、このようにして掻き取られたトナーは、廃トナー回収装置９０に向けて搬送される。
【００３１】
用紙Ｐは、さらに搬送経路Ｒ１に沿って定着器４０に向かう方向に搬送され、定着器４０の互いに対向する定着ロール４１と加圧ロール４２との間に、二次転写器３０を通過した用紙Ｐが搬送されてくると、用紙Ｐ上の未定着のトナー像を構成する未定着トナーは、定着ロール４１の加熱源４１１により溶融されて用紙Ｐ上に定着される。このようにして、用紙Ｐ上に定着トナー像からなる画像が形成される。
【００３２】
画像が形成された用紙Ｐはさらに搬送経路Ｒ１に沿って排出ロール５４に向かう方向に搬送され、排出ロール５４によって排出される。排出された用紙Ｐは、排出用紙収容部７０に積載される。
【００３３】
次に、図１に示す画像形成装置１について、廃トナー回収装置９０の周辺の構造を詳しく説明する。
図２は、図１に示す画像形成部１０Ｙ，１０Ｍ，１０Ｃ，１０Ｋ、および画像形成装置１から取り外された廃トナー回収装置９０を示す外観斜視図であり、図３は、図２に示す画像形成部１０Ｙ，１０Ｍ，１０Ｃ，１０Ｋおよび廃トナー回収装置９０を裏面側から見た外観斜視図である。
【００３４】
図２および図３において、画像形成装置１は、画像形成部１０Ｙ，１０Ｍ，１０Ｃ，１０Ｋにそれぞれ対応した、図１に示した感光体クリーニングブレード１６によって感光体１１上から掻き取られたトナーを廃トナー回収装置９０に導くトナー排出路１６１Ｙ，１６１Ｃ，１６１Ｍ，１６１Ｋを備えている。
また、各トナー排出路１６１Ｙ，１６１Ｃ，１６１Ｍ，１６１Ｋは、一端に、そのトナーを排出する排出部１６２Ｙ，１６２Ｃ，１６２Ｍ，１６２Ｋが形成されている。この排出部１６２Ｙ，１６２Ｃ，１６２Ｍ，１６２Ｋが形成された一端は、各画像形成部１０Ｙ，１０Ｍ，１０Ｃ，１０Ｋから突出している。
【００３５】
また、画像形成装置１は、図１に示したベルトクリーニングブレード８０によって図１に示した中間転写ベルト２０上から掻き取られたトナーを廃トナー回収装置９０に導くトナー排出路８０１も備えている。トナー排出路８０１も、一端に、そのトナーを排出する排出部８０２が形成されている。排出部８０２が形成された一端は、トナー排出路１６１Ｙ，１６１Ｃ，１６１Ｍ，１６１Ｋと同一方向に突出している。排出部８０２も、排出部の一例に相当する。
【００３６】
図３において、廃トナー回収装置９０の筐体９０１には、５つの排出部８０２，１６２Ｙ，１６２Ｃ，１６２Ｍ，１６２Ｋそれぞれに着脱自在に接続されて各排出部８０２，１６２Ｙ，１６２Ｃ，１６２Ｍ，１６２Ｋからトナーを受け取る５つの連結部の一例であるトナー受取部９１１，９１２，９１３，９１４，９１５が設けられている。
より詳しくは、５つのトナー受取部９１１，９１２，９１３，９１４，９１５のそれぞれが開口部９１１１，９１２１，９１３１，９１４１，９１５１を有しており、この開口部９１１１，９１２１，９１３１，９１４１，９１５１に排出部８０２，１６２Ｙ，１６２Ｃ，１６２Ｍ，１６２Ｋが挿入されて接続される。
【００３７】
以下に、廃トナー回収装置９０の内部構造について詳しく説明する。
図４は、図２，図３に示す廃トナー回収装置９０のＡ−Ａ矢視縦断面図である。
図４において、廃トナー回収装置９０の筐体９０１は、トナー受取部９１１，９１２，９１３，９１４，９１５で受け取られたトナーが回収される回収部９２を有している。
【００３８】
また、廃トナー回収装置９０には、筐体９０１内に、トナー受取部９１１，９１２，９１３，９１４，９１５と回収部９２との間に介在した、トナーが内部で搬送される搬送管９３が設けられている。また、搬送管９３の内部には、搬送管９３内のトナーを搬送する搬送部材９５が設けられている。
【００３９】
搬送部材９５は、搬送管９３が延びる方向に延びた回転軸９５１と、回転軸９５１の周囲を螺旋状に巻いた羽根９５２とを有する。この羽根９５２の螺旋の巻き方向については後述する。
【００４０】
搬送管９３は、内周面の径が各位置で搬送部材９５の外径とほぼ等しい径となっている。このため、搬送管９３内でのトナーの逆流が防止されるとともに、回収部９２の容積が十分に確保される。また、このような搬送管９３および搬送部材９５は、回収部９２にトナーが回収された廃トナー回収容器９０が図２および図３に示した排出部８０２，１６２Ｙ，１６２Ｃ，１６２Ｍ，１６２Ｋから取り外された状態で傾けられた場合に、回収部９２からトナー受取部９１１，９１２，９１３，９１４，９１５へのトナーの移動を防止する。このため、廃トナー回収容器９０が排出部８０２，１６２Ｙ，１６２Ｃ，１６２Ｍ，１６２Ｋに取り付けられる際には、トナーに邪魔されることなく排出部８０２，１６２Ｙ，１６２Ｃ，１６２Ｍ，１６２Ｋはトナー受取部９１１，９１２，９１３，９１４，９１５に挿入されることとなる。
【００４１】
また、搬送管９３の周面には、トナー受取部９１１，９１２，９１３，９１４，９１５で受け取られたトナーが搬送管９３の内部へと流入する流入口９３１，９３２，９３３，９３４，９３５と、搬送管９３の内部から回収部９２へとトナーが流出する流出口９４１，９４２，９４３，９４４とが設けられている。
ここで、羽根９５２の螺旋の巻き方向が、図４における一番左上の流出口９４１を境に、逆向きとされている。そのため、搬送部材９５が回転することで、搬送管９３内のトナーのうちの流出口９４１よりも図４における右下に位置するトナーは、図４における右下から左上に向かう矢印Ｄ方向に搬送され、搬送管９３内のトナーのうちの流出口９４１よりも図４における左上に位置するトナーは、図４における左上から右下に向かう矢印Ｅ方向に搬送される。
【００４２】
また、搬送管９３は、流入口９３１，９３２，９３３，９３４，９３５に対して流出口９４１，９４２，９４３，９４４が、搬送部材９５によるトナーの搬送方向の下流側にずれた位置に設けられている。このずれの量は、例えば羽根９５２における螺旋ピッチの１．５倍分となっている。流入口９３１，９３２，９３３，９３４，９３５に対して流出口９４１，９４２，９４３，９４４がこのようにずれていると、回収部９２からトナー受取部９１１，９１２，９１３，９１４，９１５へのトナー移動の防止の確実性が高い。
【００４３】
５つのトナー排出路８０１，１６１Ｙ，１６１Ｃ，１６１Ｍ，１６１Ｋのそれぞれ、および５つのトナー受取部９１１，９１２，９１３，９１４，９１５のそれぞれは、同様の構成を有しているため、以下、これらを代表してブラック（Ｋ）に対応するトナー排出路１６１Ｋおよびトナー受取部９１５を取り上げて、トナー受取部９１５の開口部９１５１にトナー排出路１６１Ｋの排出部１６２Ｋが挿入された状態を説明する。
【００４４】
ここで、トナー受取部９１５の開口部９１５１にトナー排出路１６１Ｋの排出部１６２Ｋが挿入された状態をよりわかり易くするために、図５に、排出部１６２Ｋが挿入されていない状態のトナー受取部９１５の概略縦断面図を示した。
また、図６（ａ）は、図３に示すトナー受取部９１５の開口部９１５１にトナー排出路１６１Ｋの排出部１６２Ｋが挿入された状態を示す概略縦断面図、（ｂ）は（ａ）におけるＢ−Ｂ断面の模式図である。
なお、図５および図６には、重力方向Ｇを矢印で示した。また、トナーＴも合わせて図示している。
【００４５】
図５において、トナー受取部９１５は、内部空間９１５２として、図５で横向きに開口部９１５１を有した円筒空間９１５２ａと、その円筒空間の奥から図５の重力方向である下向きに伸びた延長空間９１５２ｂとを有している。この延長空間９１５２ｂは流入口９３５に繋がっている。延長空間９１５２ｂは、円筒空間９１５２ａに向けて開口の一例であるトナーの回収口９１５２ｃを有している。
【００４６】
円筒空間９１５２ａには、回収部９２とトナー受取部９１５との間に配置され、弾性体の一例であるばねＥで開口部９１５１に向けて押されて、回収口９１５２ｃと円筒空間９１５２ａの外部に開放された空間との間を遮断し、排出部１６２Ｋの挿入によってスライド移動して回収口９１５２ｃを開閉する開閉部材９６が配置されている。
具体的には、開閉部材９６は、底９６ａを有する略円筒形状を有し、開閉部材９６の下方に開口９６ｂが形成されている。
【００４７】
図５において、開閉部材９６は、ばねＥで開口部９１５１に向けて押されると、底９６ａで回収口９１５２ｃを閉じる。一方、図６において、排出部１６２Ｋの挿入によって開閉部材９６は、奥に移動して回収口９１５２ｃを開く。より具体的には、回収口９１５２ｃと開閉部材９６の開口９６ｂが重なり回収口９１５２ｃが開く。
【００４８】
また、回収口９１５２ｃのトナー受取部９１５側の周縁には、開閉部材９６に向けて突出して形成され、開閉部材９６に接触する突出部９１５３が形成されている。
さらに、開閉部材９６の内周面の開口９６ｂ付近には、スポンジＳが設けられている。
【００４９】
図６において、排出部１６２Ｋは、樹脂製の丸くて管状の部分であって図６の横向きに突き出している。この排出部１６２Ｋの先端付近には、トナーＴを排出するための排出口１６２１Ｋが図６で重力方向Ｇである下向きに開口している。
【００５０】
図６において、排出部１６２Ｋは、開口部９１５１に挿入される。開口部９１５１に挿入された排出部１６２Ｋは、さらに開閉部材９６に挿入される。このとき、排出部１６２ＫはスポンジＳを押しつぶしながら開閉部材９６に挿入される。
排出部１６２Ｋおよび開閉部材９６は、円筒空間９１５２ａの奥まで挿入され、排出口１６２１Ｋが、延長空間９１５２ｂに達するまで押し込まれる。この状態で、スポンジＳは、押しつぶされて開口９６ｂ付近の開閉部材９６の内周面と排出部１６２Ｋの外周との隙間を埋めて、トナーＴが外部に漏れるのを抑制する。
このとき、開閉部材９６は、突出部９１５３に接しながらスライド移動して開口９１５２Ｃを開閉する。
【００５１】
トナー排出路１６１Ｋ内には、回転することでトナー排出路１６１Ｋ内のトナーＴを、排出部１６２Ｋの排出口１６２１Ｋに向かう方向に搬送する搬送部材１６１１Ｋが設けられている。搬送部材１６１１Ｋによって搬送されてくるトナーＴは、排出部１６２Ｋの排出口１６２１Ｋから落下して排出されて回収口９１５２ｃを通過して延長空間９１５２ｂ内を図６の下方へと落下していく。つまり、トナー受取部９１５は、内部空間９１５２内で、排出部１６２Ｋから排出されたトナーを受け取る。
このとき、回収口９１５２ｃの開口端の周りで、開閉部材９６に接する突出部９１５３が、開閉部材９１５４と受取部９１５との間（実線丸印で一例で示した領域Ｈ）に進入するトナーＴを妨げる。
【００５２】
（変形例）
図７に、変形例における粉体回収装置の図６（ａ）のＢ−Ｂ断面に相当する模式図を示した。実施形態と同じ部材には同じ符号を付した。
図７において、変形例の粉体回収装置は、開閉部材９６Ａまたは受取部９１５Ａのいずれか一方に設けられ、開閉部材９６Ａを突出部９１５３に向けて押しつける突起９７をさらに有している。これにより、開閉部材９６Ａの自重による開閉部材９６Ａと突出部９１５３との密着より、開閉部材９６Ａと突出部９１５３とがより密着して、開閉部材９１５４と受取部９１５との間に進入する粉体がより妨げられる。
【００５３】
また、開閉部材９６Ａは、突出部９１５３に接して移動するガイド９６Ａｃを有している。
突出部９１５３に接して移動するガイド９６Ａｃを備えることで、開閉部材９６Ａが回転方向にぶれることなく移動方向に滑らかに動き、開閉部材９６Ａと受取部９１５との間に進入する粉体がより妨げられる。
【００５４】
また、受取部９１５Ａは、突出部９１５３と対向する突出部９１５３Ａとで形成され、ガイド９６Ａｃを挟んで開閉部材９６Ａの移動方向に案内する溝状のレール９１５４をさらに有している。
ガイド９６Ａｃを挟んで開閉部材９６Ａの移動方向に案内する溝状のレール９１５４を有することにより、突出部９１５３Ａを有さない場合と比較して、開閉部材９６Ａが回転方向によりぶれることなく、移動方向により滑らかに動くとともに、２つの突出部９１５３および突出部９１５３Ａが対向して存在することにより、開閉部材９６Ａと受取部９１５との間に進入する粉体がより規制される。
【００５５】
以上が、実施形態および変形例のトナー搬送装置及びこれを用いた画像形成装置についての説明であるが、本発明は上記の実施形態に限定されるものではなく、他の実施形態も可能である。
例えば、変形例における突起９７が設けられていない他の変形例、突出部９１５３と対向する突出部９１５３Ａが形成されていない他の変形例も可能である。
【００５６】
例えば、実施形態および変形例のトナー搬送装置は、現像剤として二成分現像剤を使用する現像装置に用いてもよいし、一成分現像剤を使用する現像装置に用いてもよい。
【符号の説明】
【００５７】
１…画像形成装置、１０Ｙ，１０Ｍ，１０Ｃ，１０Ｋ…画像形成部、１１…感光体、１２…帯電器、１３…露光器、１４…現像器、１４１…現像ロール、１５…一次転写器、１６…感光体クリーニングブレード、８０１，１６１Ｙ，１６１Ｃ，１６１Ｍ，１６１Ｋ…トナー排出路、１６１１Ｋ…搬送部材、８０２，１６２Ｙ，１６２Ｃ，１６２Ｍ，１６２Ｋ…排出部、１６２１Ｋ…排出口、２０…中間転写ベルト、３０…二次転写器、４０…定着器、４１…定着ロール、４１１…加熱源、４２…加圧ロール、５０…用紙Ｐ搬送部、８０…ベルトクリーニングブレード、９０…廃トナー回収装置、９０１…筐体、９１１，９１２，９１３，９１４，９１５…トナー受取部、９１１１，９１２１，９１３１，９１４１，９１５１…凹部、９１５２…内部空間、９１５２ａ…円筒空間、９１５２ｂ…延長空間、９２…回収部。
【図１】
2014182240.tif 000003
【図２】
2014182240.tif 000004
【図３】
2014182240.tif 000005
【図４】
2014182240.tif 000006
【図５】
2014182240.tif 000007
【図６】
2014182240.tif 000008
【図７】
2014182240.tif 000009